【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
装置であって、前記装置は下記を備える、
選択された利得に応答して、バッファ入力信号を生成するために入力信号を増幅するように構成された低雑音増幅器と、
前記低雑音増幅器の出力に結合された入力を有する利得バッファ、ここで、前記利得バッファは、前記バッファ入力信号を受信し、選択された利得および電流の特性のうちの少なくとも１つを有する出力信号を生成するために、共通入力において一定の入力インピーダンスを与える複数の選択可能な利得チャネルを備え、ここにおいて、少なくとも２つの利得チャネルは、共通ゲート構成を有する、かつ異なる相互コンダクタンス値を有するトランジスタを利用し、前記利得バッファは、前記バッファ入力信号および選択された利得チャネルの利得に応答して前記出力信号を生成するように構成される、と、
前記一定の入力インピーダンスを与えるために少なくとも１つの利得チャネルに結合された少なくとも１つのインピーダンスネットワーク。
【請求項２】
請求項１に記載の装置であって、前記装置は、
前記出力信号を生成するために前記選択可能な利得チャネルのうちの少なくとも１つを選択するように構成され、および前記低雑音増幅器の前記利得を選択するように構成された複数の制御信号をさらに備える。
【請求項３】
請求項１に記載の装置であって、
前記少なくとも１つのインピーダンスネットワークが、抵抗器とキャパシタとインダクタとのうちの少なくとも１つを備える、装置。
【請求項４】
請求項１に記載の装置であって、
各利得チャネルが、切替え可能バイアス電圧によって有効にされる少なくとも１つのカスケードトランジスタペアを備える、装置。
【請求項５】
請求項１に記載の装置であって、
前記入力インピーダンスが５０オームのために構成された、装置。
【請求項６】
請求項１に記載の装置であって、
少なくとも１つの利得チャネルが、他の利得チャネルと同じかまたはそれよりも低い利得を与えながら、より少ない電流を消費するように構成された、装置。
【請求項７】
装置であって、前記装置は下記を備える、
選択された利得に応答して、バッファ入力信号を生成するために入力信号を増幅するための手段と、
前記バッファ入力信号を受信し、選択された利得および電流の特性のうちの少なくとも１つを有する出力信号を生成するために、共通入力において一定の入力インピーダンスを与える複数の選択可能な利得チャネルを与えるための手段、ここにおいて、少なくとも２つの利得チャネルは、共通ゲート構成を有する、かつ異なる相互コンダクタンス値を有するトランジスタを利用し、複数の選択可能な利得チャネルを与えるための前記手段は、前記バッファ入力信号および選択された利得チャネルの利得に応答して前記出力信号を生成するように構成される、と、
前記一定の入力インピーダンスを与えるために少なくとも１つの利得チャネルに結合された少なくとも１つのインピーダンスネットワークを与えるための手段。
【請求項８】
請求項７に記載の装置であって、前記装置は、
前記出力信号を生成するために前記選択可能な利得チャネルのうちの少なくとも１つを選択するように構成され、および増幅されたバッファ入力信号を生成するための前記手段の前記利得を選択するように構成された複数の制御信号を与えるための手段さらに備える。
【請求項９】
請求項７に記載の装置であって、
前記少なくとも１つのインピーダンスネットワークを与えるための前記手段が、抵抗器とキャパシタとインダクタとのうちの少なくとも１つを備える、装置。
【請求項１０】
請求項７に記載の装置であって、
各利得チャネルが、切替え可能バイアス電圧によって有効にされる少なくとも１つのカスケードトランジスタペアを備える、装置。
【請求項１１】
請求項７に記載の装置であって、
前記入力インピーダンスが５０オームのために構成された、装置。
【請求項１２】
請求項７に記載の装置であって、
少なくとも１つの利得チャネルが、他の利得チャネルと同じかまたはそれよりも低い利得を与えながら、より少ない電流を消費するように構成された、装置。
【手続補正２】
【補正対象書類名】明細書
【補正対象項目名】００４９
【補正方法】変更
【補正の内容】
【００４９】
[0054]開示した例示的な実施形態の前述の説明は、当業者が本発明を実施または使用することができるように与えたものである。これらの例示的な実施形態への様々な修正は当業者には容易に明らかであり、本明細書で定義した一般原理は、本発明の趣旨または範囲から逸脱することなく他の実施形態に適用され得る。したがって、本発明は、本明細書で示した例示的な実施形態に限定されるものではなく、本明細書で開示した原理および新規の特徴に一致する最も広い範囲を与えられるべきである。
以下に、本願出願の当初の特許請求の範囲に記載された発明を付記する。
［Ｃ１］
装置であって、前記装置は下記を備える、
入力信号を受信し、選択された利得および電流の特性のうちの少なくとも１つを有する出力信号を生成するために、共通入力において一定の入力インピーダンスを与える複数の選択可能な利得チャネル、ここにおいて、少なくとも２つの利得チャネルは、異なる相互コンダクタンス値を有するトランジスタを利用する、と、
前記一定の入力インピーダンスを与えるために少なくとも１つの利得チャネルに結合された少なくとも１つインピーダンスネットワーク。
［Ｃ２］
Ｃ１に記載の装置であって、前記装置は、
前記出力信号を生成するために前記利得チャネルのうちの少なくとも１つを選択するように構成された少なくとも１つの制御信号をさらに備える。
［Ｃ３］
Ｃ１に記載の装置であって、
前記少なくとも１つのインピーダンスネットワークが、抵抗器とキャパシタとインダクタとのうちの少なくとも１つを備える、装置。
［Ｃ４］
Ｃ１に記載の装置であって、
各利得チャネルが、切替え可能バイアス電圧によって有効にされる少なくとも１つのカスケードトランジスタペアを備える、装置。
［Ｃ５］
Ｃ１に記載の装置であって、
前記入力インピーダンスが５０オームのために構成された、装置。
［Ｃ６］
Ｃ１に記載の装置であって、
前記出力信号の前記選択された利得が、前記入力信号に関連する利得と、選択された利得チャネルに関連する利得とによって決定される、装置。
［Ｃ７］
Ｃ１に記載の装置であって、
前記装置が共通ゲートバッファとして構成された、装置。
［Ｃ８］
Ｃ１に記載の装置であって、前記装置は、
前記入力信号を生成する増幅器をさらに備える。
［Ｃ９］
Ｃ１に記載の装置であって、
少なくとも１つの利得チャネルが、他の利得チャネルと同じかまたはそれよりも低い利得を与えながら、より少ない電流を消費するように構成された、装置。
［Ｃ１０］
装置であって、前記装置は下記を備える、
入力信号を受信し、選択された利得および電流の特性のうちの少なくとも１つを有する出力信号を生成するために、共通入力において一定の入力インピーダンスを与える複数の選択可能な利得チャネルを与えるための手段、ここにおいて、少なくとも２つの利得チャネルは、異なる相互コンダクタンス値を有するトランジスタを利用する、と、
一定の入力インピーダンスを与えるために少なくとも１つの利得チャネルに結合された少なくとも１つインピーダンスネットワークを与えるための手段。
［Ｃ１１］
Ｃ１０に記載の装置であって、前記装置は、
前記出力信号を生成するために前記利得チャネルのうちの少なくとも１つを選択するように構成された少なくとも１つの制御信号を与えるための手段さらに備える。
［Ｃ１２］
Ｃ１０に記載の装置であって、
前記少なくとも１つのインピーダンスネットワークを与えるための前記手段が、抵抗器とキャパシタとインダクタとのうちの少なくとも１つを備える、装置。
［Ｃ１３］
Ｃ１０に記載の装置であって、
各利得チャネルが、切替え可能バイアス電圧によって有効にされる少なくとも１つのカスケードトランジスタペアを備える、装置。
［Ｃ１４］
Ｃ１０に記載の装置であって、
前記入力インピーダンスが５０オームのために構成された、装置。
［Ｃ１５］
Ｃ１０に記載の装置であって、
前記出力信号の前記選択された利得が、前記入力信号に関連する利得と、選択された利得チャネルに関連する利得とによって決定される、装置。
［Ｃ１６］
Ｃ１０に記載の装置であって、
前記装置が共通ゲートバッファとして構成された、装置。
［Ｃ１７］
Ｃ１０に記載の装置であって、前記装置は、
前記入力信号を生成するための増幅のための手段をさらに備える。
［Ｃ１８］
Ｃ１０に記載の装置であって、
少なくとも１つの利得チャネルが、他の利得チャネルと同じかまたはそれよりも低い利得を与えながら、より少ない電流を消費するように構成された、装置。